【事件の表示】
　特願２０１４−１９６５８７「番組出力装置、補助情報管理サーバ、番組と補助情報の出力方法、及びプログラム」拒絶査定不服審判事件〔平成２８年　５月　９日出願公開、特開２０１６−　７２６４６、請求項の数（８）〕について、次のとおり審決する。
【結　論】
　原査定を取り消す。
　本願の発明は、特許すべきものとする。
【理　由】
第１　手続の経緯及び本願発明
１　手続の経緯
　本件出願は、平成２６年９月２６日の出願であって、その手続の経緯は、以下のとおりである。
　　
　平成２７年１０月　５日：手続補正
　平成２７年１１月１０日：拒絶理由の通知
　平成２７年１２月２２日：手続補正
　平成２８年　３月１７日：拒絶査定
　平成２８年　３月２２日：拒絶査定の謄本の送達
　平成２８年　５月２４日：拒絶査定不服審判の請求
　平成２８年　５月２４日：手続補正
　平成２８年　９月　５日：拒絶理由の通知（当審）
　平成２８年　９月１３日：手続補正
 　 
２　本願発明
　本願の請求項１〜８に係る発明（以下、それぞれの発明を項番を用いて「本願発明１」等という。）は、平成２７年１０月５日付け、平成２７年１２月２２日付け、平成２８年５月２４日付け、平成２８年９月１３日付け手続補正により補正された特許請求の範囲、明細書及び図面の記載からみて、その特許請求の範囲の請求項１〜８に記載した事項により特定されるとおりのものであるところ、その請求項１〜８の記載は次のとおりのものである。
 　 
「　【請求項１】
第一サーバと第二サーバと番組出力装置とを具備する番組システムを構成する番組出力装置であって、
前記第一サーバは、
番組が放送されるチャネルを識別するチャネル識別子と、当該番組が放送される時間帯を示す放送時間帯情報とで特定される番組に、当該番組を識別する番組識別情報を対応付けて管理する１以上の番組管理情報を格納している第一格納部と、
番組のチャネル識別子を含む番組特定情報を前記番組出力装置から受信する第一受信部と、
前記番組特定情報が有するチャネル識別子と現在時刻が含まれる放送時間帯情報とで特定される番組の番組識別情報を前記第一格納部から取得する第一処理部と、
前記第一処理部が取得した番組識別情報を前記番組出力装置に送信する第一送信部とを具備し、
前記第二サーバは、
番組識別情報に対応付けて、番組の視聴を補助する情報であり、当該情報を識別する補助情報識別子に対応付けられた１以上の補助情報と、各補助情報の番組内の出力箇所を示す箇所情報とを格納している第二格納部と、
前記番組出力装置から番組識別情報と補助情報識別子とを有する補助情報送信指示を受信する第二受信部と、
前記補助情報送信指示が有する補助情報識別子の次の補助情報識別子と番組識別情報とに対応する１以上の補助情報と、各補助情報の箇所情報とを前記第二格納部から取得する第二処理部と、
前記第二処理部が取得した１以上の補助情報と、当該補助情報を識別する補助情報識別子と、各補助情報の箇所情報とを前記番組出力装置に送信する第二送信部とを具備し、
前記番組出力装置は、
番組を受信する番組受信部と、
前記番組受信部が受信している番組のチャネル識別子を取得するチャネル識別子取得部と、
前記チャネル識別子取得部が取得した番組のチャネル識別子を含む番組特定情報を前記第一サーバに送信する番組特定情報送信部と、
前記番組特定情報の送信に応じて、前記第一サーバから番組識別情報を受信する番組識別情報受信部と、
前記番組識別情報受信部が受信した番組識別情報と補助情報識別子とを有する補助情報送信指示を前記第二サーバに送信する補助情報送信指示送信部と、
前記補助情報送信指示の送信に応じて、当該補助情報送信指示が有する補助情報識別子の次の補助情報識別子と番組識別情報とに対応付けられた１以上の補助情報及び各補助情報の箇所情報を前記第二サーバから受信する補助情報取得部と、
前記番組受信部が受信した番組を出力するとともに、前記補助情報取得部が受信した１以上の補助情報を、各補助情報が番組内の箇所情報が示す出力箇所に同期して出力されるように、出力する出力部とを具備する番組システムを構成する番組出力装置。
　　【請求項２】
前記第一サーバと前記第二サーバとは異なる装置である請求項１記載の番組出力装置。
　　【請求項３】
前記第一サーバの第一受信部は、外部装置から番組管理情報が有する番組識別情報を変更するための情報である変更情報を受信し、
前記第一処理部は、前記変更情報に対応する番組特定情報が有する番組識別情報を変更する請求項１または請求項２記載の番組出力装置。
　　【請求項４】
前記補助情報は、前記番組に対応する字幕、手話映像、絵文字、補助音声のうちの１種類以上の情報である請求項１から請求項３いずれか一項に記載の番組出力装置。
　　【請求項５】
番組を受信する番組受信部と、
前記番組受信部が受信している番組のチャネル識別子を取得するチャネル識別子取得部と、
前記チャネル識別子取得部が取得した番組のチャネル識別子を含む番組特定情報を第一サーバに送信する番組特定情報送信部と、
　前記番組特定情報の送信に応じて、前記第一サーバから番組識別情報を受信する番組識別情報受信部と、
前記番組識別情報受信部が受信した番組識別情報と補助情報識別子とを有する補助情報送信指示を第二サーバに送信する補助情報送信指示送信部と、
前記補助情報送信指示の送信に応じて、当該補助情報送信指示が有する補助情報識別子の次の補助情報識別子と番組識別情報とに対応付けられた１以上の補助情報及び各補助情報の箇所情報を前記第二サーバから受信する補助情報取得部と、
前記番組受信部が受信した番組を出力するとともに、前記補助情報取得部が受信した１以上の補助情報を、各補助情報が番組内の箇所情報が示す出力箇所に同期して出力されるように、出力する出力部とを具備する番組出力装置。
　　【請求項６】
番組識別情報に対応付けて、番組の視聴を補助する情報であり、当該情報を識別する補助情報識別子に対応付けられた１以上の補助情報と各補助情報の番組内の出力箇所を示す箇所情報とを格納している補助情報格納部と、
番組出力装置から番組識別情報と補助情報識別子とを有する補助情報送信指示を受信する補助情報送信指示受信部と、
前記補助情報送信指示が有する補助情報識別子の次の補助情報識別子と番組識別情報とに対応する１以上の補助情報と、各補助情報の箇所情報とを前記補助情報格納部から取得する補助情報取得部と、
前記補助情報取得部が取得した１以上の補助情報と、当該補助情報を識別する補助情報識別子と、各補助情報の箇所情報とを前記番組出力装置に送信する補助情報送信部とを具備する補助情報管理サーバ。
　　【請求項７】
番組が放送されるチャネルを識別するチャネル識別子と当該番組が放送される時間帯を示す放送時間帯情報とで特定される番組に、当該番組を識別する番組識別情報を対応付けて管理する１以上の番組管理情報を備える番組管理サーバと、前記番組識別情報に対応付けて、番組の視聴を補助する情報であり、当該情報を識別する補助情報識別子に対応付けられた１以上の補助情報と各補助情報の番組内の出力箇所を示す箇所情報とを備える補助情報管理サーバとに通信可能に接続された番組出力装置における番組と補助情報の出力方法であって、
番組を受信する番組受信ステップと、
受信している番組のチャネル識別子を取得するチャネル識別子取得ステップと、
前記チャネル識別子取得ステップで取得した番組のチャネル識別子を含む番組特定情報を前記番組管理サーバに送信する番組特定情報送信ステップと、
前記番組特定情報の送信に応じて、前記番組管理サーバから番組識別情報を受信する番組識別情報受信ステップと、
前記番組識別情報受信ステップで受信した番組識別情報と補助情報識別子とを有する補助情報送信指示を、前記補助情報管理サーバに送信する補助情報送信指示送信ステップと、
前記補助情報送信指示の送信に応じて、当該補助情報送信指示が有する補助情報識別子の次の補助情報識別子と番組識別情報とに対応付けられた１以上の補助情報及び各補助情報の箇所情報を前記補助情報管理サーバから受信する補助情報受信ステップと、
前記番組受信ステップで受信した番組を出力するとともに、前記補助情報受信ステップで受信した１以上の補助情報を、各補助情報が番組内の箇所情報が示す出力箇所に同期して出力されるように、出力する出力ステップと、
を具備する番組と補助情報の出力方法。
　　【請求項８】
番組が放送されるチャネルを識別するチャネル識別子と当該番組が放送される時間帯を示す放送時間帯情報とで特定される番組に、当該番組を識別する番組識別情報を対応付けて管理する１以上の番組管理情報を備える番組管理サーバと、前記番組識別情報に対応付けて、番組の視聴を補助する情報であり、当該情報を識別する補助情報識別子に対応付けられた１以上の補助情報と各補助情報の番組内の出力箇所を示す箇所情報とを備える補助情報管理サーバとに通信可能に接続された番組出力装置を制御するコンピュータに実行させるプログラムであって、
前記コンピュータを、
番組を受信する番組受信部と、
前記番組受信部が受信している番組のチャネル識別子を取得するチャネル識別子取得部と、
前記チャネル識別子取得部が取得した番組のチャネル識別子を含む番組特定情報を前記番組管理サーバに送信する番組特定情報送信部と、
前記番組特定情報の送信に応じて、前記番組管理サーバから番組識別情報を受信する番組識別情報受信部と、
前記番組識別情報受信部が受信した番組識別情報と補助情報識別子とを有する補助情報送信指示を、前記補助情報管理サーバに送信する補助情報送信指示送信部と、
前記補助情報送信指示の送信に応じて、当該補助情報送信指示が有する補助情報識別子の次の補助情報識別子と番組識別情報とに対応付けられた１以上の補助情報及び各補助情報の箇所情報を前記補助情報管理サーバから受信する補助情報受信部と、
前記番組受信部が受信した番組を出力するとともに、前記補助情報受信部が受信した１以上の補助情報を、各補助情報が番組内の箇所情報が示す出力箇所に同期して出力されるように、出力する出力部と、
して機能させるためのプログラム。」
　　
３　本願発明１の分説
　本願発明１を分説すると次のとおりである。
　　
（本願発明１）
（Ａ）第一サーバと第二サーバと番組出力装置とを具備する番組システムを構成する番組出力装置であって、
（Ｂ）前記第一サーバは、
（Ｂ-1）番組が放送されるチャネルを識別するチャネル識別子と、当該番組が放送される時間帯を示す放送時間帯情報とで特定される番組に、当該番組を識別する番組識別情報を対応付けて管理する１以上の番組管理情報を格納している第一格納部と、
（Ｂ-2）番組のチャネル識別子を含む番組特定情報を前記番組出力装置から受信する第一受信部と、
（Ｂ-3）前記番組特定情報が有するチャネル識別子と現在時刻が含まれる放送時間帯情報とで特定される番組の番組識別情報を前記第一格納部から取得する第一処理部と、
（Ｂ-4）前記第一処理部が取得した番組識別情報を前記番組出力装置に送信する第一送信部とを具備し、
（Ｃ）前記第二サーバは、
（Ｃ-1）番組識別情報に対応付けて、番組の視聴を補助する情報であり、当該情報を識別する補助情報識別子に対応付けられた１以上の補助情報と、各補助情報の番組内の出力箇所を示す箇所情報とを格納している第二格納部と、
（Ｃ-2）前記番組出力装置から番組識別情報と補助情報識別子とを有する補助情報送信指示を受信する第二受信部と、
（Ｃ-3）前記補助情報送信指示が有する補助情報識別子の次の補助情報識別子と番組識別情報とに対応する１以上の補助情報と、各補助情報の箇所情報とを前記第二格納部から取得する第二処理部と、
（Ｃ-4）前記第二処理部が取得した１以上の補助情報と、当該補助情報を識別する補助情報識別子と、各補助情報の箇所情報とを前記番組出力装置に送信する第二送信部とを具備し、
（Ｄ）前記番組出力装置は、
（Ｄ-1）番組を受信する番組受信部と、
（Ｄ-2）前記番組受信部が受信している番組のチャネル識別子を取得するチャネル識別子取得部と、
（Ｄ-3）前記チャネル識別子取得部が取得した番組のチャネル識別子を含む番組特定情報を前記第一サーバに送信する番組特定情報送信部と、
（Ｄ-4）前記番組特定情報の送信に応じて、前記第一サーバから番組識別情報を受信する番組識別情報受信部と、
（Ｄ-5）前記番組識別情報受信部が受信した番組識別情報と補助情報識別子とを有する補助情報送信指示を前記第二サーバに送信する補助情報送信指示送信部と、
（Ｄ-6）前記補助情報送信指示の送信に応じて、当該補助情報送信指示が有する補助情報識別子の次の補助情報識別子と番組識別情報とに対応付けられた１以上の補助情報及び各補助情報の箇所情報を前記第二サーバから受信する補助情報取得部と、
（Ｄ-7）前記番組受信部が受信した番組を出力するとともに、前記補助情報取得部が受信した１以上の補助情報を、各補助情報が番組内の箇所情報が示す出力箇所に同期して出力されるように、出力する出力部とを具備する
（Ｅ）番組システムを構成する番組出力装置。
　　
（（Ａ）〜（Ｅ）は、当審で付与した。以下各構成要件を「構成要件Ａ」等という。）
　　
第２　原査定の理由について
１　原査定の理由の概要 
　本願の請求項１〜１０に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　
 　　　　　　　　　　　　　　　記 
　引用文献１：特開２００３−１５８７２６号公報
　引用文献２：特開２０１０−２３９６５６号公報
　引用文献３：特開２０１４−２７３６１号公報
　引用文献４：特開２０１４−２２９０３号公報
　引用文献５：特表２００４−５３８６８１号公報
　　
　引用文献１に記載された発明において、例えば番組に関連する情報を表示することは、聴覚障害者を補助するための情報としても利用できるといえる。また、引用文献２には、開始時刻、終了時刻等の情報を含むインデックス（箇所情報）が付加された補助情報を有すること、前記インデックスとタイミングを合わせて補助情報を再生することが記載されており、引用文献１の関連情報に、引用文献２のインデックスを付加した補助情報を適用し、インデックスとタイミングを合わせて（同期して）補助情報を再生するよう構成することに格別な技術的困難性は認められず、さらに、前記タイミングを合わせた補助情報についても、視聴覚障害者を補助するための情報として利用できるといえる
　　
２　原査定の理由で引用された引用文献に記載された発明に基づく容易想到性について
（１）引用文献の記載事項
ア　引用文献１に記載された発明
　引用文献１には、テレビ放送受信装置（番組出力装置）が、受信中のチャンネル番号と、時刻、及び初期設定の際に入力された郵便番号を関連情報検索サーバ（第一サーバ）へ送信すること、関連情報検索サーバが、受信したチャンネル番号、時刻、郵便番号に基づいてテレビ放送受信装置が受信している放送局を特定し、これより関連情報の保管場所を特定して、番組情報サーバ（第二サーバ）のアドレス、及び前記番組情報サーバ内の関連情報へのパスをテレビ放送受信装置に送信すること、さらに、テレビ放送受信装置が、前記関連情報検索サーバから受信したデータに基づいて、番組情報サーバから関連情報を取得して表示することが記載されている（段落［００７０］−［００８０］、図７）。
　　
　関連情報検索サーバ、番組情報サーバ、テレビ放送受信装置は、それぞれ関連しているから、システムといえる。そして、そのシステムにおけるテレビ放送受信装置に注目すると、引用文献１には、次の発明（以下「引用発明」という。）が記載されていると認められる。
　　
（引用発明）
（ａ）関連情報検索サーバと番組情報サーバとテレビ放送受信装置とを具備するシステムを構成するテレビ放送受信装置であって、
（ｂ）関連情報検索サーバは、テレビ受信装置から受信したチャンネル番号、時刻、郵便番号に基づいてテレビ放送受信装置が受信している放送局を特定し、これより関連情報の保管場所を特定して、番組情報サーバのアドレス、及び前記番組情報サーバ内の関連情報へのパスをテレビ放送受信装置に送信し、
（ｃ）テレビ放送受信装置は、受信中のチャンネル番号と、時刻、及び初期設定の際に入力された郵便番号を関連情報検索サーバへ送信し、前記関連情報検索サーバから受信したデータに基づいて、番組情報サーバから関連情報を取得して表示する、
（ｄ）システムを構成するテレビ放送受信装置。
　　
　なお、（ａ）〜（ｄ）は、構成を識別するために付与した。以下各構成を「構成ａ」等という。
　　
イ　引用文献２に記載された発明
　引用文献２には、
「放送情報と関連した補助情報をインターネットを介して取得し、放送情報と補助情報にはそれぞれに開始時刻、終了時刻等の情報を含むインデックスが付加され、前記インデックスに基づいて放送情報とタイミングを合わせて（同期して）補助情報を再生する放送受信装置」
が記載されている（段落［０００９］、［００２２］−［００２４］、［００３０］、［００３６］−［００３７］）。
　　
（２）対比
　本願発明１と引用発明とを対比する。
　　
ア　構成要件Ａと構成ａとを対比する。
　引用発明の「関連情報検索サーバ」、「番組情報サーバ」、「テレビ放送受信装置」、「システム」は、それぞれ、本願発明１の「第一サーバ」、「第二サーバ」、「番組出力装置」、「番組システム」に相当する。
　したがって、本願発明１と引用発明とは、「第一サーバと第二サーバと番組出力装置とを具備する番組システムを構成する番組出力装置」として一致する。
　　
イ　構成要件Ｂ、Ｂ-1〜Ｂ-4と構成ｂとを対比する。
イ−１　構成要件Ｂ-1について
　引用発明の「関連情報検索サーバ」は、「関連情報検索サーバは、テレビ受信装置から受信したチャンネル番号、時刻、郵便番号に基づいてテレビ放送受信装置が受信している放送局を特定し、これより関連情報の保管場所を特定して、番組情報サーバのアドレス、及び前記番組情報サーバ内の関連情報へのパスをテレビ放送受信装置に送信」するから、「番組情報サーバのアドレス、及び前記番組情報サーバ内の関連情報へのパス」等の情報を格納している格納部があることは明らかであり、この格納部は「第一の格納部」といい得る。
　したがって、本願発明１と引用発明とは、「第一サーバ」が「情報を格納する第一の格納部」を具備している点で共通する。
　しかしながら、「情報」が、本願発明１においては、「番組が放送されるチャネルを識別するチャネル識別子と、当該番組が放送される時間帯を示す放送時間帯情報とで特定される番組に、当該番組を識別する番組識別情報を対応付けて管理する１以上の番組管理情報」であるのに対し、引用発明においては、当該番組管理情報ではない点で相違する。
　　
イ−２　構成要件Ｂ-2について
　引用発明の「チャンネル番号」は、本願発明１の「チャネル識別子」に相当する。
　引用発明の「関連情報検索サーバ」は、「テレビ受信装置から受信したチャンネル番号、時刻、郵便番号に基づいてテレビ放送受信装置が受信している放送局を特定」するものであり、「テレビ受信装置から」「チャンネル番号、時刻、郵便番号」を受信するから、「番組のチャネル識別子を含む番組特定情報を前記番組出力装置から受信する受信部」を具備するといえる。この「受信部」は「第一受信部」といい得る。
　　
イ−３　構成要件Ｂ-3について
　引用発明の「関連情報検索サーバ」は、「テレビ受信装置から受信したチャンネル番号、時刻、郵便番号に基づいてテレビ放送受信装置が受信している放送局を特定し、これより関連情報の保管場所を特定して、番組情報サーバのアドレス、及び前記番組情報サーバ内の関連情報へのパスをテレビ放送受信装置に送信」するものであり、上記イ−１のとおり「第一格納部」を具備しているといえるから、「情報を前記第一格納部から取得する第一処理部」を具備しているといえる。
　しかしながら、「情報」が、本願発明においては「前記番組特定情報が有するチャネル識別子と現在時刻が含まれる放送時間帯情報とで特定される番組の番組識別情報」であるのに対し、引用発明においては当該番組識別情報でない点で相違する。
　　
イ−４　構成要件Ｂ-4について
　引用発明の「関連情報検索サーバ」は、「テレビ受信装置から受信したチャンネル番号、時刻、郵便番号に基づいてテレビ放送受信装置が受信している放送局を特定し、これより関連情報の保管場所を特定して、番組情報サーバのアドレス、及び前記番組情報サーバ内の関連情報へのパスをテレビ放送受信装置に送信」するから、前記第一処理部が取得した情報をテレビ放送受信装置（「番組出力装置」に相当）を送信する「送信部」を具備しているといえ、この「送信部」は「第一送信部」ともいい得る。
　したがって、「第一サーバ」が、「前記第一処理部が取得した情報を前記番組出力装置に送信する第一送信部とを具備」する点で、本願発明１と引用発明とは共通する。
　しかしながら、「情報」が、本願発明１においては、「番組識別情報」であるのに対し、引用発明においては、「番組識別情報」でない点で相違する（上記イ−３と同様）。
　　
イ−５　まとめ
　以上、まとめると、本願発明１と引用発明とは、
「前記第一サーバは、
　情報を格納している第一格納部と、
　番組のチャネル識別子を含む番組特定情報を前記番組出力装置から受信する第一受信部と、
　情報を前記第一格納部から取得する第一処理部と、
　前記第一処理部が取得した情報を前記番組出力装置に送信する第一送信部とを具備」する点で共通する。
　しかしながら、
　「第一格納部」に格納している「情報」が、本願発明１においては、番組が放送されるチャネルを識別するチャネル識別子と、当該番組が放送される時間帯を示す放送時間帯情報とで特定される番組に、当該番組を識別する番組識別情報を対応付けて管理する１以上の番組管理情報」であるのに対し、引用発明においては、当該番組管理情報ではない点（相違点１−１）で相違し、
　「第一処理部」が「第一格納部」から取得する「情報」及び「第一送信部」が送信する「情報」が、本願発明１においては、「前記番組特定情報が有するチャネル識別子と現在時刻が含まれる放送時間帯情報とで特定される番組の番組識別情報」であるのに対し、引用発明においては当該番組識別情報でない点（相違点１−２）で相違する。
　　
ウ　構成要件Ｃ、Ｃ-1〜Ｃ-4と構成ｂ、ｃとを対比する。
ウ−１　構成要件Ｃ-1について
　引用発明の「関連情報」は、本願発明１の「補助情報」に相当する。
　「関連情報」は、番組情報サーバから取得されるから、番組情報サーバに格納されているといえる。また、「関連情報」は「番組の視聴を補助する情報」といえる。
　そうすると、本願発明１と引用発明とは、「番組の視聴を補助する情報である補助情報を格納している格納部」を具備している点で共通する。この「格納部」は「第二格納部」といい得る。
　しかしながら、「補助情報」が、本願発明においては、「番組識別情報に対応付」られ、「当該情報を識別する補助情報識別子に対応付けられ」るのに対し、引用発明においてはそうではなく、さらに、本願発明１においては「各補助情報の番組内の出力箇所を示す箇所情報」を格納しているのに対し、引用発明において当該箇所情報を格納していない点で相違する。　　
　　
ウ−２　構成要件Ｃ-2について
　引用発明においては、「番組出力装置」に相当する「テレビ放送受信装置」が、「第一サーバ」に相当する「関連情報検索サーバ」から受信したデータ、すなわち、番組情報サーバのアドレス、及び前記番組情報サーバ内の関連情報へのパスに基づいて、「第二サーバ」に相当する「番組情報サーバ」から「関連情報」を受信するから、「第二サーバ」は、「番組出力装置」から「指示」を受信しているといえる。
　したがって、本願発明１と引用発明とは、「第二サーバ」が 「番組出力装置」から「指示」を受信する「受信部」を具備する点で共通する。この「受信部」は「第二受信部」といい得る。
　しかしながら、「指示」が、本願発明１においては、「番組識別情報と補助情報識別子とを有する補助情報送信指示」であるのに対し、引用発明においては、「番組識別情報と補助情報識別子とを有する補助情報送信指示」でない点で相違する。
　　
ウ−３　構成要件Ｃ-3、Ｃ-4について
　引用発明においては、「テレビ放送受信装置は、・・・番組情報サーバから関連情報を取得」するから、「番組サーバ」（「第二サーバ」に相当）は、「補助情報を第二格納部」から取得する「第二処理部」と「第二処理部が取得した補助情報」を「番組出力装置に送信する第二送信部」を具備するといえる。
　したがって、本願発明１と引用発明とは、「第二サーバ」が「補助情報を第二格納部から取得する第二処理部と前記第二処理部が取得した補助情報を前記番組出力装置に送信する第二送信部」を具備する点で共通する。
　しかしながら、「第二処理部」が取得する「補助情報」が、本願発明１においては、「前記補助情報送信指示が有する補助情報識別子の次の補助情報識別子と番組識別情報とに対応する」のに対し、引用発明においては、そうではなく、さらに、「第二処理部」が、本願発明１においては、「各補助情報の箇所情報」を取得するのに対し、引用発明においては、そうではない点
　また、「第二送信部」が、本願発明１においては、「当該補助情報を識別する補助情報識別子と、各補助情報の箇所情報」を送信するのに対し、引用発明においては、そうではない点で相違する。
ウ−４　まとめ
　以上、まとめると、本願発明１と引用発明とは、
「前記第二サーバは、
　番組の視聴を補助する情報である１以上の補助情報を格納している第二格納部と、
　前記番組出力装置から補助情報送信指示を受信する第二受信部と、　
　前記補助情報送信指示する１以上の補助情報を前記第二格納部から取得する第二処理部と、
　前記第二処理部が取得した１以上の補助情報を前記番組出力装置に送信する第二送信部とを具備」する点で共通する。
　しかしながら、「補助情報」が、本願発明においては、「番組識別情報に対応付」られ、「当該情報を識別する補助情報識別子に対応付けられ」るのに対し、引用発明においてはそうではなく、さらに、本願発明１においては「各補助情報の番組内の出力箇所を示す箇所情報」を格納しているのに対し、引用発明において当該箇所情報を格納していない点（相違点２−１）で相違し、
  「補助情報送信指示」が、本願発明１においては、「番組識別情報と補助情報識別子とを有する」のに対し、引用発明においては、「番組識別情報と補助情報識別子とを有」しない点（相違点２−２）で相違し、
　「第二処理部」が取得する「補助情報」が、本願発明１においては、「前記補助情報送信指示が有する補助情報識別子の次の補助情報識別子と番組識別情報とに対応する」のに対し、引用発明においては、そうではなく、さらに、「第二処理部」が、本願発明１においては、「各補助情報の箇所情報」を取得するのに対し、引用発明においては、そうではない点（相違点２−３）で相違し、
　「第二送信部」が、本願発明１においては、「当該補助情報を識別する補助情報識別子と、各補助情報の箇所情報」を送信するのに対し、引用発明においては、そうではない点（相違点２−４）で相違する。
　　
エ　構成要件Ｄ、Ｄ-1〜Ｄ-7と構成ｃとを対比する。
エ−１　構成要件Ｄ-1について　
　引用発明の「テレビ放送受信装置」は、「番組を受信する番組受信部」を具備することは明らかである。
　　
エ−２　構成要件Ｄ-2について
　引用発明は、「受信中のチャンネル番号」を関連情報検索サーバに送信するから、「チャネル識別子」を「前記番組受信部が受信している番組のチャネル識別子を取得」しているといえ、引用発明の「テレビ放送受信装置」は、「前記番組受信部が受信している番組のチャネル識別子を取得するチャネル識別子取得部」を具備している。
　　
エ−３　構成要件Ｄ-3について
　引用発明の「テレビ放送受信装置」は、「受信中のチャンネル番号と、時刻、及び初期設定の際に入力された郵便番号を関連情報検索サーバへ送信」する。この「受信中のチャンネル番号と、時刻、及び初期設定の際に入力された郵便番号」は、本願発明１の「チャネル識別子を含む番組特定情報」に相当する。
　したがって、引用発明の「テレビ放送受信装置」は、「前記チャネル識別子取得部が取得した番組のチャネル識別子を含む番組特定情報を前記第一サーバに送信する番組特定情報送信部」を具備している。
　　
エ−４　構成要件Ｄ-4について
　引用発明は、「テレビ放送受信装置は、受信中のチャンネル番号と、時刻、及び初期設定の際に入力された郵便番号を関連情報検索サーバへ送信し、前記関連情報検索サーバから受信したデータに基づいて、番組情報サーバから関連情報を取得して表示する」ものであるから、情報を受信する情報受信部を具備しているといえる。そして、上記エ−３を考慮すると、引用発明の「テレビ放送受信装置」は、「前記番組特定情報の送信に応じて、前記第一サーバから情報を受信する情報受信部」を具備する点で引用発明１と共通する。
　しかしながら、受信する「情報」が、本願発明１においては、「番組識別情報」であるのに対し、引用発明においては、「番組識別情報」でなく、それに伴い、「情報受信部」が、本願発明１においては、「番組識別情報受信部」であるのに対し、引用発明においては、「番組識別情報受信部」でない点で相違する。
　　
エ−５　構成要件Ｄ-5について
　引用発明は、「テレビ放送受信装置は、・・・前記関連情報検索サーバから受信したデータに基づいて、番組情報サーバから関連情報を取得して表示する」ものであり、「関連情報」は、「補助情報」といえるから、「テレビ放送受信装置」は、「情報受信部」が受信した「情報」に基づいて補助情報送信指示を「番組情報サーバ」（「第二サーバ」に相当）に送信する「指示送信部」を具備するといえる。　
　しかしながら、上記エ−４のとおり、「情報」が「番組識別情報」でなく、「補助情報送信指示」が、本願発明１においては、「前記番組識別情報受信部が受信した番組識別情報と補助情報識別子とを有する」ものであるのに対し、引用発明においてはそうではない点で相違する。
　　
エ−６　構成要件Ｄ-6について
　引用発明は、「テレビ放送受信装置は、・・・前記関連情報検索サーバから受信したデータに基づいて、番組情報サーバから関連情報を取得して表示する」ものであるから、「テレビ放送受信装置」は、「指示の送信に応じて補助情報を前記第二サーバから受信する補助情報取得部」を具備しているといえる。
　しかしながら、「補助情報」が、本願発明１においては、「当該補助情報送信指示が有する補助情報識別子の次の補助情報識別子と番組識別情報とに対応付けられた１以上の補助情報」であるのに対し、引用発明においては、そうではなく、さらに、本願発明１においては、「各補助情報の箇所情報を前記第二サーバから受信する」のに対し、引用発明においては、「各補助情報の箇所情報を前記第二サーバから受信」しない点で相違する。
　　
エ−７　構成要件Ｄ-7について
　引用発明の「テレビ放送受信装置」は、受信した番組を出力することは明らかであり、「番組情報サーバから関連情報を取得して表示する」から、「前記補助情報取得部が受信した１以上の補助情報」を出力する出力部を具備するといえる。
　しかしながら、「補助情報」を、本願発明１においては、「番組内の箇所情報が示す出力箇所に同期して」出力するのに対し、引用発明においては、そうではない点で相違する。
　　
エ−８　まとめ
　以上、まとめると、本願発明１と引用発明とは、
「前記番組出力装置は、
　番組を受信する番組受信部と、
　前記番組受信部が受信している番組のチャネル識別子を取得するチャネル識別子取得部と、
　前記チャネル識別子取得部が取得した番組のチャネル識別子を含む番組特定情報を前記第一サーバに送信する番組特定情報送信部と、
　前記番組特定情報の送信に応じて、前記第一サーバから情報を受信する情報受信部と、
　前記情報受信部が受信した情報に基づいて補助情報送信指示を前記第二サーバに送信する補助情報送信指示送信部と、
　前記補助情報送信指示の送信に応じて、１以上の補助情報を前記第二サーバから受信する補助情報取得部と、
　前記番組受信部が受信した番組を出力するとともに、前記補助情報取得部が受信した１以上の補助情報を出力する出力部とを具備する」
点で共通する。
　しかしながら、「情報受信部」が受信する「情報」が、本願発明１においては、「番組識別情報」であるのに対し、引用発明においては、「番組識別情報」でなく、それに伴い、「情報受信部」が、本願発明１においては、「番組識別情報受信部」であるのに対し、引用発明においては、「番組識別情報受信部」でない点（相違点３−１）で相違し、
　「補助情報送信指示送信部」における「補助情報送信指示」が、本願発明１においては、「前記番組識別情報受信部が受信した番組識別情報と補助情報識別子とを有する補助情報送信指示」であるのに対し、引用発明においては、そうではない点（相違点３−２）で相違し、
　「補助情報取得部」が受信する「補助情報」が、本願発明１においては、「当該補助情報送信指示が有する補助情報識別子の次の補助情報識別子と番組識別情報とに対応付けられた１以上の補助情報」であるのに対し、引用発明においては、そうではなく、さらに、本願発明１においては、「各補助情報の箇所情報を前記第二サーバから受信する」のに対し、引用発明においては、「各補助情報の箇所情報を前記第二サーバから受信」しない点（相違点３−３）で相違し、
　「出力部」が、「補助情報」を、本願発明１においては、「番組内の箇所情報が示す出力箇所に同期して」出力するのに対し、引用発明においては、そうではない点（相違点３−４）で相違する。
　　
オ　構成要件Ｅと構成ｄとを対比する。
　本願発明１と引用発明とは、「番組システムを構成する番組出力装置」として、一致する。
　　
カ　以上より、一致点、相違点は次のとおりである。
　　
（一致点）
　第一サーバと第二サーバと番組出力装置とを具備する番組システムを構成する番組出力装置であって、
　前記第一サーバは、
　情報を格納している第一格納部と、
　番組のチャネル識別子を含む番組特定情報を前記番組出力装置から受信する第一受信部と、
　情報を前記第一格納部から取得する第一処理部と、
　前記第一処理部が取得した情報を前記番組出力装置に送信する第一送信部とを具備し、　前記第二サーバは、
　番組の視聴を補助する情報である１以上の補助情報を格納している第二格納部と、
　前記番組出力装置から補助情報送信指示を受信する第二受信部と、　
　前記補助情報送信指示する１以上の補助情報を前記第二格納部から取得する第二処理部と、
　前記第二処理部が取得した１以上の補助情報を前記番組出力装置に送信する第二送信部とを具備し、
　前記番組出力装置は、
　番組を受信する番組受信部と、
　前記番組受信部が受信している番組のチャネル識別子を取得するチャネル識別子取得部と、
　前記チャネル識別子取得部が取得した番組のチャネル識別子を含む番組特定情報を前記第一サーバに送信する番組特定情報送信部と、
　前記番組特定情報の送信に応じて、前記第一サーバから情報を受信する情報受信部と、
　前記情報受信部が受信した情報に基づいて補助情報送信指示を前記第二サーバに送信する補助情報送信指示送信部と、
　前記補助情報送信指示の送信に応じて、１以上の補助情報を前記第二サーバから受信する補助情報取得部と、
　前記番組受信部が受信した番組を出力するとともに、前記補助情報取得部が受信した１以上の補助情報を出力する出力部とを具備する
　番組システムを構成する番組出力装置。
　　
（相違点１）
　第一サーバにおいて、
　「第一格納部」に格納している「情報」が、本願発明１においては、番組が放送されるチャネルを識別するチャネル識別子と、当該番組が放送される時間帯を示す放送時間帯情報とで特定される番組に、当該番組を識別する番組識別情報を対応付けて管理する１以上の番組管理情報」であるのに対し、引用発明においては、当該番組管理情報ではない点（相違点１−１）で相違し、
　「第一処理部」が「第一格納部」から取得する「情報」及び「第一送信部」が送信する「情報」が、本願発明１においては、「前記番組特定情報が有するチャネル識別子と現在時刻が含まれる放送時間帯情報とで特定される番組の番組識別情報」であるのに対し、引用発明においては当該番組識別情報でない点（相違点１−２）で相違する。
　
（相違点２）
　第二サーバにおいて、
　「補助情報」が、本願発明においては、「番組識別情報に対応付」られ、「当該情報を識別する補助情報識別子に対応付けられ」るのに対し、引用発明においてはそうではなく、さらに、本願発明１においては「各補助情報の番組内の出力箇所を示す箇所情報」を格納しているのに対し、引用発明において当該箇所情報を格納していない点（相違点２−１）で相違し、
  「補助情報送信指示」が、本願発明１においては、「番組識別情報と補助情報識別子とを有する」のに対し、引用発明においては、「番組識別情報と補助情報識別子とを有」しない点（相違点２−２）で相違し、
　「第二処理部」が取得する「補助情報」が、本願発明１においては、「前記補助情報送信指示が有する補助情報識別子の次の補助情報識別子と番組識別情報とに対応する」のに対し、引用発明においては、そうではなく、さらに、「第二処理部」が、本願発明１においては、「各補助情報の箇所情報」を取得するのに対し、引用発明においては、そうではない点（相違点２−３）で相違し、
　「第二送信部」が、本願発明１においては、「当該補助情報を識別する補助情報識別子と、各補助情報の箇所情報」を送信するのに対し、引用発明においては、そうではない点（相違点２−４）で相違する。
　　
（相違点３）
　番組出力装置において、
　「情報受信部」が受信する「情報」が、本願発明１においては、「番組識別情報」であるのに対し、引用発明においては、「番組識別情報」でなく、それに伴い、「情報受信部」が、本願発明１においては、「番組識別情報受信部」であるのに対し、引用発明においては、「番組識別情報受信部」でない点（相違点３−１）で相違し、
　「補助情報送信指示送信部」における「補助情報送信指示」が、本願発明１においては、「前記番組識別情報受信部が受信した番組識別情報と補助情報識別子とを有する補助情報送信指示」であるのに対し、引用発明においては、そうではない点（相違点３−２）で相違し、
　「補助情報取得部」が受信する「補助情報」が、本願発明１においては、「当該補助情報送信指示が有する補助情報識別子の次の補助情報識別子と番組識別情報とに対応付けられた１以上の補助情報」であるのに対し、引用発明においては、そうではなく、さらに、本願発明１においては、「各補助情報の箇所情報を前記第二サーバから受信する」のに対し、引用発明においては、「各補助情報の箇所情報を前記第二サーバから受信」しない点（相違点３−３）で相違し、
　「出力部」が、「補助情報」を、本願発明１においては、「番組内の箇所情報が示す出力箇所に同期して」出力するのに対し、引用発明においては、そうではない点（相違点３−４）で相違する。
　　
（３）判断
　ここで、相違点２について検討する。
　「補助情報識別子」に注目すると、相違点２−１〜相違点２−４は、「第二サーバ」において、「補助情報」が「補助情報識別子」に対応付けられて格納され、受信した「補助情報送信指示」が有する「補助情報識別子」の次の「補助情報識別子」に対応する「補助情報」を取得して、「当該補助情報識別子」（次の「補助情報識別子」）を送信することである。
　しかしながら、このようなことは、引用文献２には開示されておらず、引用文献３〜５にも開示されていない。
　そうすると、相違点２を克服することはできない。
　　
　次に、相違点３について検討する。
　「補助情報識別子」に注目すると、相違点３−２〜相違点３−３は、「番組出力装置」において、「補助情報識別子」を第二サーバに送信し、この「補助情報識別子」の次の「補助情報識別子」に対応付けられた「補助情報」を第二サーバから受信することである。
　しかしながら、このようなことは、引用文献２には開示されておらず、引用文献３〜５にも開示されていない。
　そうすると、相違点３を克服することはできない。
　　
　したがって、相違点２、相違点３を克服することはできない。
　　
（４）小括
　以上のとおり、相違点２、相違点３を克服することはできないから、本願発明１は、原査定の理由で引用された引用文献に記載された発明に基づいて、当業者が容易に発明できたものとは認められない。
　本願発明２〜４は、請求項１を直接又は間接的に引用しているので、本願発明１と同じ理由で、本願発明２〜４は、原査定の理由で引用された引用文献に記載された発明に基づいて、当業者が容易に発明できたものとは認められない。
　また、本願発明５は、本願発明１における「番組出力装置」の発明であり、引用発明と対比すると、上記相違点３があり、当該相違点３は、上記のとおり克服できないから、本願発明５は、原査定の理由で引用された引用文献に記載された発明に基づいて、当業者が容易に発明できたものとは認められない。
　本願発明８は、本願発明５とカテゴリーが異なる発明であるから、本願発明５と同様に、本願発明８は、原査定の理由で引用された引用文献に記載された発明に基づいて、当業者が容易に発明できたものとは認められない。
　さらに、本願発明６は、本願発明１における「第二サーバ」に相当する「補助情報管理サーバ」の発明であり、引用発明と対比すると、上記相違点２があり、当該相違点２は、上記のとおり克服できないから、本願発明６は、原査定の理由で引用された引用文献に記載された発明に基づいて、当業者が容易に発明できたものとは認められない。
　本願発明７は、本願発明６とカテゴリーが異なる発明であるから、本願発明６と同様に、本願発明７は、原査定の理由で引用された引用文献に記載された発明に基づいて、当業者が容易に発明できたものとは認められない。
　　
第３　当審拒絶理由について
１　当審拒絶理由の概要
（理由Ａ）
　この出願の請求項６に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。また、この出願の請求項６に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　
 　　　　　　　　　　　　　　　記 
　引用文献６：特開２０１３−１１４６４８号公報
　　
　引用文献６には、クライアント（番組出力装置）が、現在選局中のチャンネル情報（チャネル識別子）などを取得し、取得したチャンネル情報を含むイベント情報送信要求をＥＰＧ配信サーバ（番組管理サーバ）に送信すること、また、ＥＰＧ配信サーバが、前記クライアントよりイベント情報送信要求を受信すると、このイベント情報送信要求からチャンネル情報を抽出し、このチャンネル情報と現在の時刻とから該当する番組を特定して、特定した番組のイベントＩＤ等の情報（番組識別情報）を自身に蓄積されているＥＰＧデータから抽出し、抽出した情報を含むイベント情報応答をクライアントに応答（送信）することが記載されている（特に、段落［０１１３］−［０１１５］を参照されたい。）。
　　
（理由Ｂ）
　この出願は、特許請求の範囲の記載が下記の点で、特許法第３６条第６項第１号、第２項に規定する要件を満たしていない。
　また、この出願は、発明の詳細な説明の記載について下記の点で、特許法第３６条第４項第１号に規定する要件を満たしていない。
 　 
 　　　　　　　　　　　　　　　　　記
　請求項５について 
（１）「前記チャネル識別子取得部が取得した番組のチャネル識別子を含む番組特定情報に対応する番組識別情報を取得する番組識別情報取得部」について 
　当該番組識別情報取得部は、番組出力装置に具備されているものであり、「番組識別情報」は、番組出力装置の番組識別情報取得部のみにより取得するものと理解できる。 
　しかしながら、発明の詳細な説明においては、第一サーバから番組識別情報を受信して取得することしか記載されていない。 
　したがって、請求項５に係る発明は、発明の詳細な説明に記載されておらず、また、発明の詳細な説明は、請当業者が請求項５に係る発明を実施できる程度に明確かつ十分に記載されているとは認められない。 
 　　 
（２）「番組識別情報に対応付けて、番組の視聴を補助する情報であり、当該情報を識別する補助情報識別子に対応付けられた１以上の補助情報と、各補助情報の番組内の出力箇所を示す箇所情報とを管理している補助情報管理サーバから、前記番組識別情報取得部が取得した番組識別情報と
補助情報識別子
　　
２　当審拒絶理由の理由についての検討
（１）旧請求項６について（理由Ａ）
　旧請求項６は、平成２８年９月１３日付け手続補正により削除されたので、理由Ａは解消した。
　　
（２）請求項５について（理由Ｂ）
　請求項５は、平成２８年９月１３日付け手続補正により、次のとおりに補正された。
　　
「番組を受信する番組受信部と、
前記番組受信部が受信している番組のチャネル識別子を取得するチャネル識別子取得部と、
前記チャネル識別子取得部が取得した番組のチャネル識別子を含む番組特定情報を第一サーバに送信する番組特定情報送信部と、
　前記番組特定情報の送信に応じて、前記第一サーバから番組識別情報を受信する番組識別情報受信部と、
前記番組識別情報受信部が受信した番組識別情報と補助情報識別子とを有する補助情報送信指示を第二サーバに送信する補助情報送信指示送信部と、
前記補助情報送信指示の送信に応じて、当該補助情報送信指示が有する補助情報識別子の次の補助情報識別子と番組識別情報とに対応付けられた１以上の補助情報及び各補助情報の箇所情報を前記第二サーバから受信する補助情報取得部と、
前記番組受信部が受信した番組を出力するとともに、前記補助情報取得部が受信した１以上の補助情報を、各補助情報が番組内の箇所情報が示す出力箇所に同期して出力されるように、出力する出力部とを具備する番組出力装置。」
　　
　「番組識別情報」は、第一サーバから受信することが明記され、明確であり、本願明細書段落【００５０】等でサポートされている。
　また、「補助情報識別子」は、「補助情報送信指示送信部」から第二サーバに送信されることが明記され、第二サーバから補助情報識別子の次の補助情報識別子に対応付けられた補助情報が受信することが明らかになった。また、この点は、明細書の段落【００５７】等でサポートされている。
　さらに、発明の詳細な説明は、当業者が請求項５に係る発明を実施できる程度に明確かつ十分に記載されていると認められる。
　したがって、理由Ｂは解消した。
　　
第４　むすび
　以上のとおり、原査定の理由によっては、本願を拒絶することはできない。
　また、他に本願を拒絶すべき理由を発見しない。
　よって、結論のとおり審決する。